(57)【要約】【課題】  簡単な構造によって、光による演出効果を出すことができるスピーカを提供する。【解決手段】  光を透過する振動板４と、振動板４の背面側のフレームおよび／またはプレートに囲まれた空間部分に設けられ、振動板４に向けて光を放出する光放出手段１０とを有する。光放出手段１０は、光を放出する発光ダイオード１２Ａ、１２Ｂと、発光ダイオード１２Ａ、１２Ｂからの光が端面に入射されると共に空間部分に設けられた導光体１１とを有し、導光体１１は、発光ダイオード１２Ａ、１２Ｂからの光を反射および拡散して、光を側面から放出する。導光体１１は、管状のクラッド１１Ａと、クラッド１１Ａよりも高屈折率材料のコア１１Ｂと、クラッド１１Ａとコア１１Ｂとの間に、長さ方向に沿って設けられた帯状の反射層１１Ｃとを有する。【選択図】  図２
2005323146.tif 000002
【特許請求の範囲】
【請求項１】
光を透過する振動板（４）と、
前記振動板（４）の背面側のフレームおよび／またはプレートに囲まれた空間部分に設けられ、前記振動板（４）に向けて光を放出する光放出手段（１０）とを有することを特徴とするスピーカ。
【請求項２】
前記光放出手段（１０）は、
光を放出する光源と、
前記光源からの光が端面に入射されると共に前記空間部分に設けられた導光体（１１）とを有し、
前記導光体（１１）は、前記光源からの光を反射および拡散して、光を側面から放出することを特徴とする請求項１に記載のスピーカ。
【請求項３】
前記光源は、発光ダイオード（１２Ａ、１２Ｂ）であることを特徴とする請求項１または２に記載のスピーカ。
【請求項４】
前記導光体（１１）は、
管状のクラッド（１１Ａ）と、
前記クラッド（１１Ａ）よりも高屈折率材料のコア（１１Ｂ）と、
前記クラッド（１１Ａ）と前記コア（１１Ｂ）との間に、長さ方向に沿って設けられた帯状の反射層（１１Ｃ）とを有することを特徴とする請求項１〜３のいずれか１項に記載のスピーカ。
【発明の詳細な説明】
【技術分野】
【０００１】
本発明は、イルミネーション付きのスピーカに関する。
【背景技術】
【０００２】
イルミネーション付きのスピーカは、例えばオーディオ入力信号の強弱に応じて、振動板から光が放出される。このときに、光が強弱の変化をし、あるいは光が点灯または点滅して、発光状態が変化する。こうしたイルミネーション付きのスピーカは、アミューズメント用などに有効である。このイルミネーション付きのスピーカとしては、例えば次のようなものがある（特許文献１）。このスピーカは、振動板の前面中心にホルダを取り付け、さらに、このホルダに発光ダイオードを取り付ける。そして、発光ダイオードに駆動信号を加えると、このダイオードが発光し、ダイオードからの光は振動板で全反射する。この結果、音の出力と共に光の放出によって、スピーカによる演出効果を提供することができる。
【特許文献１】特開２００３−２３６９３号公報
【発明の開示】
【発明が解決しようとする課題】
【０００３】
ところで、前記のイルミネーション付きのスピーカには、次の課題がある。このスピーカは、発光ダイオードを振動板の前面側に取り付けるために、特製のホルダを用意し、振動板の前面中心を加工してホルダを取り付けるためのスペースを確保し、支持具を介してこのスペースにホルダを取り付ける必要がある。この結果、加工手順が増え、製造コストが上昇するという課題がある。また、発光ダイオードからの光を振動板の前面に照射するためには、多数の発光ダイオードをホルダに並べて取り付ける必要があり、さらに、加工手順の増加と、材料費および製造コストの上昇とを招く。
【０００４】
本発明は、前記の課題を解決し、簡単な構造によって、光による演出効果を出すことができるスピーカを提供することにある。
【課題を解決するための手段】
【０００５】
前記課題を解決するために、請求項１の発明は、光を透過する振動板と、
前記振動板の背面側のフレームおよび／またはプレートに囲まれた空間部分に設けられ、前記振動板に向けて光を放出する光放出手段とを有することを特徴とするスピーカである。
請求項２の発明は、請求項１に記載のスピーカにおいて、前記光放出手段は、光を放出する光源と、前記光源からの光が端面に入射されると共に前記空間部分に設けられた導光体とを有し、前記導光体は、前記光源からの光を反射および拡散して、光を側面から放出することを特徴とする。
請求項３の発明は、請求項１または２に記載のスピーカにおいて、前記光源は、発光ダイオードであることを特徴とする。
請求項４の発明は、請求項１〜３のいずれか１項に記載のスピーカにおいて、前記導光体は、管状のクラッドと、前記クラッドよりも高屈折率材料のコアと、前記クラッドと前記コアとの間に、長さ方向に沿って設けられた帯状の反射層とを有することを特徴とする。
【発明の効果】
【０００６】
本発明によれば、従来のように、発光ダイオードを振動板の前面側に取り付けるための特別なホルダを不要にし、かつ、振動板の前面中心に対する加工も不要にすることができるので、加工手順を削減し、製造コストの大幅上昇を防ぐことができる。しかも、光を放射する光放出手段と、光を透過する振動板とを用いるだけであり、光放出手段は発光ダイオードのような光源と、構造の簡単な導光体とで構成されるので、振動板から光を放出するための構造を、従来に比べて簡単にすることができ、この点からも、加工手順を削減し、製造コストの大幅上昇を防ぐことができる。
【発明を実施するための最良の形態】
【０００７】
つぎに、本発明を実施するための最良の形態について、図面を参照して説明する。図１は、本実施形態によるスピーカを示す平面図であり、図２はスピーカの側面の部分断面を示す側面図であり、図３はスピーカの底面を示す底面図である。このスピーカは凹状で開口が円形のフレーム１を備え、フレーム１の円形状の底部１Ａ外側に磁気回路２が設けられている。磁気回路２は、断面形状が凸状のヨーク２Ａの凸部分周囲にマグネット２Ｂが設けられ、さらに、マグネット２Ｂには、プレート２Ｃが設けられた構造をしている。
【０００８】
フレーム１の開口部分には、ブラケット３が設けられている。また、フレーム１の開口部分には、振動板４のエッジ部分が取り付けられている。振動板４は、光を透過する材料、つまり光の少なくとも一部を通す材料または透明な材料で作られている。このような材料としては、例えば透明なポリプロピレン樹脂がある。なお、振動板４としては、光を拡散させるものでもよい。
【０００９】
振動板４に設けられたボイスコイル４Ａには、凹凸状に加工された円板状のダンパー５が、フレーム１の円形の底部１Ａと向かい合うように設けられている。ダンパー５の円形状の端部がＬ字状に屈曲されてフレーム１の底部１Ａ内側に取り付けられている。フレーム１の側部１Ｂ外側には端子台６が取り付けられ、端子台６には、ボイスコイル４Ａに接続されているリード線４Ｂが接続されている。また、端子台６と対向するように、フレーム１の側部１Ｂ外側には、端子台７が取り付けられている。端子台７は、光放出手段１０を構成する発光ダイオード１２Ａ、１２Ｂのリード線１２Ａ１、１２Ｂ１用である。端子台７の３本のピン端子７Ａには、発光ダイオード１２Ａ、１２Ｂのリード線１２Ａ１、１２Ｂ１が接続されている。端子台７はメスのコネクタ（図示を省略）に接続され、このメスのコネクタに対する接続案内をガイド７Ｂが行う。
【００１０】
光放出手段１０は、振動板４の背面側に設けられ、導光体１１と発光ダイオード１２Ａ、１２Ｂとで構成されている。棒状の導光体１１は、フレーム１の内側とダンパー５の外側との間に、かつ、フレーム１の底部１Ａに、円形状に曲げられて取り付けられている。導光体１１は、図４に示すように、断面が円形の細長形状をしている。導光体１１は、管状のクラッド１１Ａとコア１１Ｂと反射層１１Ｃとで構成されている。クラッド１１Ａは、屈折率の低い透明な材料で作られている。クラッド材として、例えばプラスチックがある。コア１１Ｂは、管状クラッド１１Ａの構成材料よりも高屈折率の材料で構成されている。コア材として、例えばポリスチレンがある。反射層１１Ｃは、クラッド１１Ａとコア１１Ｂとの間に、クラッド１１Ａの長さ方向に延在している。反射層１１Ｃは、反射・拡散材料を含有し、この材料として例えばアクリル系ポリマーがある。
【００１１】
導光体１１の両端面には、発光ダイオード１２Ａ、１２Ｂが配置され、発光ダイオード１２Ａ、１２Ｂのリード線１２Ａ１、１２Ｂ１が、発光ダイオード１２Ａ、１２Ｂのプラス側を別にし、かつ、マイナス側を共通にして、端子台７の３本のピン端子７Ａに接続されている。発光ダイオード１２Ａ、１２Ｂからの光が導光体１１の端面にそれぞれ入射される。図５に示すように、発光ダイオード１２Ａの光が導光体１１の端面から入射すると、この光は、図６に示すように、コア１１Ｂを通り、コア１１Ｂを通る光を反射層１１Ｃで反射・散乱し、反射層１１Ｃの形成側と反対側の、クラッド１１Ａの側面から放出する。発光ダイオード１２Ｂからの光も同様にして、導光体１１のクラッド１１Ａの側面から放出する。
【００１２】
端子台７のピン端子７Ａに駆動信号が加えられると、発光ダイオード１２Ａ、１２Ｂが発光し、これにより、図７に示すように導光体１１から光Ｌが放出される。導光体１１からの光Ｌは、透明な振動板４を透過・屈折し、振動板４の前面から放出される。これにより、振動板４の全体が発光状態となる。
【００１３】
こうして、本実施形態により、導光体１１と発光ダイオード１２Ａ、１２Ｂとで構成される簡単な構造の光放出手段１０を取り付けるだけで、イルミネーション付きのスピーカを実現することができる。この結果、加工手順の増加と、材料費および製造コストの上昇とを防ぐことができる。また、発光ダイオード１２Ａ、１２Ｂに加える駆動信号を、音声・音楽・効果音等に応じて輝度や発色を変化させるようにすれば、振動板４の前面から放出される光の発光状態が変化し、演出効果を得ることができる。
【００１４】
以上、本発明の実施形態を詳述してきたが、具体的な構成は本実施形態に限られるものではなく、本発明の要旨を逸脱しない範囲の設計の変更等があっても、本発明に含まれる。たとえば、本実施形態では、１つの導光体を用いたが、取り付ける導光体の数が１つに限定されることはない。また、本実施形態では、導光体の両端面に発光ダイオードを配置したが、一方の端面だけに発光ダイオードを配置するようにしてもよい。また、本実施形態では、クラッド１１Ａとコア１１Ｂとの間に反射層１１Ｃを設けた導光体１１を用いたが、図７（ａ）、（ｂ）に示すように、反射層１１Ｃの無い導光体１１１を用い、振動板４とは反対側の導光体１１１の部分に反射シート１１Ｄを設けてもよい。
【図面の簡単な説明】
【００１５】
【図１】本発明の実施形態によるスピーカを示す平面図である。
【図２】図１に示すスピーカの側面の部分断面を示す側面図である。
【図３】図１に示すスピーカの底面を示す底面図である。
【図４】導光体を示す斜視図である。
【図５】導光体に対する発光ダイオードからの光の入射を説明するための説明図である。
【図６】導光体からの光の放出を説明するための説明図である。
【図７】導光体と反射シートとを用いた光の放出を説明するための説明図である。
【図８】振動板からの光の放出を説明するための説明図である。
【符号の説明】
【００１６】
１  フレーム
１Ａ  底部
１Ｂ  側部
２  磁気回路
２Ａ  ヨーク
２Ｂ  マグネット
２Ｃ  プレート
３  ブラケット
４  振動板
４Ａ  ボイスコイル
４Ｂ  リード線
５  ダンパー
６、７  端子台
７Ａ  ピン端子
７Ｂ  ガイド
１０  光放出手段
１１、１１１  導光体
１１Ａ  クラッド
１１Ｂ  コア
１１Ｃ  反射層
１１Ｄ  反射シート
１２Ａ、２Ｂ  発光ダイオード
１２Ａ１、１２Ｂ１  リード線
【図１】
2005323146.tif 000003
【図２】
2005323146.tif 000004
【図３】
2005323146.tif 000005
【図４】
2005323146.tif 000006
【図５】
2005323146.tif 000007
【図６】
2005323146.tif 000008
【図７】
2005323146.tif 000009
【図８】
2005323146.tif 000010